(57)【要約】【課題】店舗等での料金の支払いを自動的に行う自動料金支払いシステムに於ける管理サーバ、発券・チャージ機、路側アンテナ、プリペイドカード及び車載器を提供することを目的とする。【解決手段】履歴データベースとプリペイドカード残高データベースと情報サーバデータベースと特定識別情報データベースと、利用履歴情報と特定識別情報と残高とその位置データとを受信し、直近の利用履歴情報と照合する照合手段と、位置データに基づいて情報サーバの特定を行い、アクセス権原を有するかチェックを行い、車載器との間で情報サーバに情報の送受信を行わせる情報サーバ処理手段と、情報サーバから受信した利用料金の決済を行う決済手段と、位置データ及び利用日時に基づいて利用履歴情報を作成し、直近の利用履歴情報として記録し、作成した利用履歴情報を送信する履歴手段とを有する管理サーバである。【選択図】  図１
2004151818.tif 000002
【特許請求の範囲】
【請求項１】
プリペイドカードが読書き可能な車載器との間で近距離無線通信によるデータの送受信を行う路側アンテナ、及び前記利用者の車載器に対して提供する情報の管理を行う情報サーバ、との間でネットワークを介してデータの送受信が可能な管理サーバであって、
前記管理サーバは、
前記プリペイドカードの利用履歴情報を記録している履歴データベースと、
前記プリペイドカード毎の残高を記録しているプリペイドカード残高データベースと、
前記路側アンテナの位置データと前記路側アンテナで送受信することが出来る情報サーバの所在地とを対応づけて記録している情報サーバデータベースと、
前記プリペイドカードの利用者を識別する特定識別情報と前記利用者がどの情報サーバにアクセスすることが出来るか否かを対応づけて記録している特定識別情報データベースと、
前記路側アンテナから前記プリペイドカードに記録された利用履歴情報と特定識別情報と残高と前記路側アンテナの位置データとを受信し、前記履歴データベースに記録している前記プリペイドカードの直近の利用履歴情報と照合する照合手段と、
前記照合手段に於ける照合の結果が一致している場合には、前記受信した路側アンテナの位置データに基づいて、前記情報サーバデータベースから前記路側アンテナが対応する情報サーバの特定を行い、前記特定した情報サーバに前記利用者がアクセス権原を有するか否かのチェックを行い、アクセス権原がある場合には前記情報サーバから管理サーバを介し又はネットワークを介し直接前記路側アンテナを経由して前記車載器との間で、情報サーバに情報の送受信を行わせる情報サーバ処理手段と、
前記受信したプリペイドカードに記録された残高と前記プリペイドカード残高データベースに記録された残高とを照合し、前記情報サーバから受信した利用料金を予め定められた決済条件で決済を行い、前記新たな残高を前記発券・チャージ機及び／又は前記路側アンテナに対して送信する決済手段と、
前記決済手段に於ける決済につき、前記プリペイドカードの利用が為された位置データ及び利用日時とに基づいて利用履歴情報を作成し、前記履歴データベースに前記プリペイドカードの直近の利用履歴情報として記録すると共に、前記路側アンテナに対して前記作成した利用履歴情報を送信する履歴手段と
を有することを特徴とする管理サーバ。
【請求項２】
プリペイドカードが読書き可能な車載器との間で近距離無線通信によるデータの送受信を行う路側アンテナ、及び前記利用者の車載器に対して提供する情報の管理を行う情報サーバ、との間でネットワークを介してデータの送受信が可能な管理サーバであって、
前記管理サーバは、
前記プリペイドカードの残高を含む利用履歴情報を記録している履歴データベースと、
前記路側アンテナの位置データと前記路側アンテナで送受信することが出来る情報サーバの所在地とを対応づけて記録している情報サーバデータベースと、
前記プリペイドカードの利用者を識別する特定識別情報と前記利用者がどの情報サーバにアクセスすることが出来るか否かを対応づけて記録している特定識別情報データベースと、
前記路側アンテナから前記プリペイドカードに記録された利用履歴情報と特定識別情報と残高と前記路側アンテナの位置データとを受信し、前記履歴データベースに記録している前記プリペイドカードの直近の利用履歴情報と照合する照合手段と、
前記照合手段に於ける照合の結果が一致している場合には、前記受信した路側アンテナの位置データに基づいて、前記情報サーバデータベースから前記路側アンテナが対応する情報サーバの特定を行い、前記特定した情報サーバに前記利用者がアクセス権原を有するか否かのチェックを行い、アクセス権原がある場合には前記情報サーバから管理サーバを介し又はネットワークを介し直接前記路側アンテナを経由して前記車載器との間で、情報サーバに情報の送受信を行わせる情報サーバ処理手段と、
前記受信したプリペイドカードに記録された残高と前記プリペイドカード残高データベースに記録された残高とを照合し、前記情報サーバから受信した利用料金を予め定められた決済条件で決済を行い、前記新たな残高を前記発券・チャージ機及び／又は前記路側アンテナに対して送信する決済手段と、
前記決済手段に於ける決済につき、前記プリペイドカードの利用が為された位置データ及び利用日時と残高に基づいて利用履歴情報を作成し、前記履歴データベースに前記プリペイドカードの直近の利用履歴情報として記録すると共に、前記路側アンテナに対して前記作成した利用履歴情報を送信する履歴手段と
を有することを特徴とする管理サーバ。
【請求項３】
前記決済手段は、
前記プリペイドカード残高データベースに記録している残高と前記プリペイドカードに記録している残高とが不一致の場合には、前記プリペイド残高データベースに記録している残高から利用料金を減じて新たな残高として前記プリペイドカード残高データベースに記録することによって決済を行い、前記新たな残高を前記発券・チャージ機及び／又は前記路側アンテナに対して送信する
ことを特徴とする請求項１又は請求項２に記載の管理サーバ。
【請求項４】
前記照合手段は、
前記利用履歴情報に加え前記プリペイドカード残高データベースに記録している残高とも照合する
ことを特徴とする請求項１から請求項３のいずれかに記載の管理サーバ。
【請求項５】
前記利用履歴情報は、利用箇所の緯度経度からなる位置データ及び利用日時とを含む
ことを特徴とする請求項１から請求項４のいずれかに記載の管理サーバ。
【請求項６】
前記利用履歴情報は、更に高度も含む
ことを特徴とする請求項５に記載の管理サーバ。
【請求項７】
プリペイドカードの残高及び／又は利用履歴の管理を行う管理サーバとの間でネットワークを介してデータの送受信が可能な発券・チャージ機であって、
前記発券・チャージ機は、
前記管理サーバに対して発券情報を送信し、
前記発券情報に基づいて作成された前記発券・チャージ機の位置データと利用日時とを含む利用履歴情報と、前記プリペイドカードの利用者を識別する特定識別情報と前記発券するプリペイドカードの残高とを前記管理サーバから受信し、
前記受信した利用履歴情報と前記特定識別情報と前記残高とを前記プリペイドカードに記録して発券を行う
ことを特徴とする発券・チャージ機。
【請求項８】
前記発券・チャージ機は、前記プリペイドカードのチャージの際に、
前記プリペイドカードに記録された利用履歴情報と特定識別情報と残高とを抽出し、前記利用履歴情報と特定識別情報と残高と前記発券・チャージ機の位置データとを前記管理サーバに送信し、
前記利用者から受領したチャージ金額を前記管理サーバに送信し、前記送信したプリペイドカードに記録した残高と前記プリペイドカード残高データベースに記録した残高とを照合させ、プリペイドカードの残高を記録している前記管理サーバのプリペイドカード残高データベースの残高に前記チャージ金額を加算し新たな残高として更新せしめ、
残高の更新後に前記管理サーバが新たに作成した利用履歴情報と新たな残高とを前記管理サーバから受信し、
前記受信した利用履歴情報と前記受信した残高とを前記プリペイドカードに記録する
ことを特徴とする請求項７に記載の発券・チャージ機。
【請求項９】
前記発券・チャージ機は、
前記チャージの際に前記管理サーバに送信したプリペイドカードに記録されている残高と前記プリペイドカード残高データベースに記録されている残高とが不一致の場合には前記プリペイドカード残高データベースに記録している残高に前記チャージ金額を加算し新たな残高として更新せしめる
ことを特徴とする請求項７又は請求項８に記載の発券・チャージ機。
【請求項１０】
前記発券・チャージ機は、車載器又は提供する情報の管理を行う情報サーバとデータの送受信が可能であり、
前記管理サーバを介して前記情報サーバにアクセスを行い、チャージする金額を前記情報サーバに対して送信し、
前記情報サーバから前記管理サーバに対してチャージする金額を送信させることで、前記プリペイドカードの残高を記録している前記管理サーバのプリペイドカード残高データベースの残高に前記チャージ金額を加算し新たな残高として更新せしめる
ことを特徴とする請求項７から請求項９のいずれかに記載の発券・チャージ機。
【請求項１１】
プリペイドカードの残高及び／又は利用履歴の管理を行う管理サーバとの間でネットワークを介してデータの送受信を行い、前記プリペイドカードが読書き可能な車載器との間で近距離無線通信によるデータの送受信を行い、前記利用者の車載器に対して提供する情報の管理を行う情報サーバとの間でネットワークを介してデータの送受信が可能な路側アンテナであって、
前記路側アンテナは、
前記車載器が前記プリペイドカードから読み取った利用履歴情報と特定識別情報と残高とを受信し、
前記車載器から受信した利用履歴情報と特定識別情報と残高と前記路側アンテナの位置データとを前記管理サーバに送信し、
前記情報サーバから送信された情報を前記車載器に対して送信し、
前記情報サーバに於ける利用料金を、前記情報サーバから前記管理サーバに利用料金を送信させることによって利用料金の決済を行わせ前記プリペイドカードの残高を更新せしめ、
前記残高の更新後に前記管理サーバが新たに作成した利用履歴情報と新たな残高とを前記管理サーバから受信し、
前記受信した利用履歴情報と前記受信した残高とを前記車載器に対して送信することを特徴とする路側アンテナ。
【請求項１２】
路側アンテナとの間で近距離無線通信によるデータの送受信が可能であり、前記路側アンテナを介して前記プリペイドカードの残高及び／又は利用履歴の管理を行う管理サーバとの間でデータの送受信が可能であり、提供する情報の管理を行う情報サーバとの間でデータの送受信が可能な車載器であって、
前記車載器は、
前記プリペイドカードから利用履歴情報と特定識別情報と残高とを読取り、
前記読み取った利用履歴情報と特定識別情報と残高とを前記路側アンテナを介して前記管理サーバに送信し、
前記管理サーバで前記路側アンテナの位置データによって特定された情報サーバから情報を受信し表示を行い、前記管理サーバに於いて決済を行わせることにより、前記プリペイドカードの残高を更新せしめ、
前記残高の更新後に前記管理サーバが新たに作成した利用履歴情報と新たな残高とを前記管理サーバから前記路側アンテナを介して受信し、
前記受信した利用履歴情報と前記受信した残高とを前記プリペイドカードに記録する
ことを特徴とする車載器。
【請求項１３】
利用箇所の緯度経度からなる位置データ及び利用日時とを含む利用履歴情報と、利用者を識別する特定識別情報と、残高とを記録しているプリペイドカード。
【請求項１４】
前記利用履歴情報は、更に高度も含む
ことを特徴とする請求項１３に記載のプリペイドカード。
【発明の詳細な説明】
【０００１】
【発明の属する技術分野】
本発明は、店舗等での料金の支払いを自動的に行う自動料金支払いシステムに於ける管理サーバ、発券・チャージ機、路側アンテナ、プリペイドカード及び車載器に関する。
【０００２】
【従来の技術】
有料道路の決済等を速やかに行う為に、従来のように料金所で停車し料金の支払いを行うのではなく、車両に設置した車載器と料金所に設けられた路側アンテナとの間でデータの送受信を行うことでノンストップで料金決済を行う自動料金支払いシステム（自動料金支払いシステムとは、所謂ＥＴＣ（Ｅｌｅｃｔｒｏｎｉｃ  Ｔｏｌｌ  Ｃｏｌｌｅｃｔｉｏｎ  Ｓｙｓｔｅｍ。ＥＴＣは財団法人道路システム高度化推進機構の登録商標である））であって、下記の非特許文献１に詳しい）が存在している。このＥＴＣは、料金所等の決済場所に設けられた路側アンテナと、車両に設置されクレジットカードが挿入された車載器との間で近距離無線通信（近距離無線通信には、ＤＳＲＣ（Ｄｅｄｉｃａｔｅｄ  Ｓｈｏｒｔ  Ｒａｎｇｅ  Ｃｏｍｍｕｎｉｃａｔｉｏｎｓ。狭域データ通信）、無線ＬＡＮ、赤外線通信、ブルートゥース等が該当する）を用いてデータの送受信を行うことによって、クレジットカード情報を路側アンテナに送信し通行料金等の決済を行うシステムである。尚、本明細書に於いて自動料金支払いシステムとは、近距離無線通信を用いて車載器と路側アンテナとの間のデータの送受信を行うことによって決済を行う、又はネットワークを介して発券・チャージ機とデータの送受信を行うことによって決済を行うシステムを示す。
【０００３】
従来の自動料金支払いシステムは、クレジットカードによる決済のみであったので、それをプリペイドカードによる決済で行い、更にそのセキュリティ性を向上させる為に、プリペイドカードを利用した箇所の位置データと利用日時とからなる利用履歴情報でプリペイドカードの識別を行い、又その利用履歴情報を管理サーバの記録と照合することで不適式な利用（偽造カードによる利用等）が為されていないかを判別するシステムが、下記の特許文献１及び特許文献２に開示されている。
【０００４】
【特許文献１】
特願２００２−３１３７０５
【特許文献２】
特願２００２−３１３７０９
【非特許文献１】
財団法人道路システム高度化推進機構著「ＥＴＣ（イーテック）便覧」道路システム高度化推進機構発行、平成１４年４月、ｐ．１０−４２
【０００５】
【発明が解決しようとする課題】
上記特許文献１に開示されている発明を用いた場合では、有料道路や店舗等でプリペイドカードの利用を行うことが出来る。特に有料道路等で車両が移動しながら高速且つ正確な決済を行い、渋滞緩和に貢献した利用者に対するインセンティブを付与することも出来ることから、クレジットカードしか利用できず画一的な料金設定のみしか行えなかった従来から鑑みると、その効果は多大である。
【０００６】
しかし、特許文献１に開示されている発明では、単に決済の情報や利用履歴情報、プリペイドカードの残高等を送受信できるにすぎず、決済を行う為の商品情報等を送受信することまでは出来ない。
【０００７】
これは商品情報等を送受信するには、別途それらを記録したデータベースを管理サーバが有する必要があるが、それらを管理サーバに設けると管理サーバに負荷が非常にかかり、決済処理に対する遅延が見込まれるからである。
【０００８】
しかし、路側アンテナを有料道路のみならず、店舗の進入口等に設置することで、利用者が車両に位置しながら商品情報の閲覧から決済まで出来ることは非常に利用者にとってメリットがある。
【０００９】
【課題を解決するための手段】
そこで本発明者は、自動料金支払いシステムでプリペイドカードの残高の管理を行うシステムに、特定の利用者に対してデータの送受信を可能とする情報サーバを設け、車両から特定の路側アンテナを介して管理サーバにアクセスがあった場合には、その情報サーバへのアクセスを許可し車両に対して商品情報の閲覧を行わせ、商品の購入等を可能とする自動料金支払いシステムに於ける管理サーバ、発券・チャージ機、路側アンテナ、プリペイドカード及び車載器を発明した。
【００１０】
特に情報サーバへのアクセスには、予めプリペイドカードに利用者を一意に識別する特定識別情報を記録させ、それを管理サーバに送信することによってアクセスの有無の許可を判断する。これによってアクセス権原のない者によるアクセスを防ぐことが可能となる。
【００１１】
請求項１の発明は、
プリペイドカードが読書き可能な車載器との間で近距離無線通信によるデータの送受信を行う路側アンテナ、及び前記利用者の車載器に対して提供する情報の管理を行う情報サーバ、との間でネットワークを介してデータの送受信が可能な管理サーバであって、前記管理サーバは、前記プリペイドカードの利用履歴情報を記録している履歴データベースと、前記プリペイドカード毎の残高を記録しているプリペイドカード残高データベースと、前記路側アンテナの位置データと前記路側アンテナで送受信することが出来る情報サーバの所在地とを対応づけて記録している情報サーバデータベースと、前記プリペイドカードの利用者を識別する特定識別情報と前記利用者がどの情報サーバにアクセスすることが出来るか否かを対応づけて記録している特定識別情報データベースと、前記路側アンテナから前記プリペイドカードに記録された利用履歴情報と特定識別情報と残高と前記路側アンテナの位置データとを受信し、前記履歴データベースに記録している前記プリペイドカードの直近の利用履歴情報と照合する照合手段と、前記照合手段に於ける照合の結果が一致している場合には、前記受信した路側アンテナの位置データに基づいて、前記情報サーバデータベースから前記路側アンテナが対応する情報サーバの特定を行い、前記特定した情報サーバに前記利用者がアクセス権原を有するか否かのチェックを行い、アクセス権原がある場合には前記情報サーバから管理サーバを介し又はネットワークを介し直接前記路側アンテナを経由して前記車載器との間で、情報サーバに情報の送受信を行わせる情報サーバ処理手段と、前記受信したプリペイドカードに記録された残高と前記プリペイドカード残高データベースに記録された残高とを照合し、前記情報サーバから受信した利用料金を予め定められた決済条件で決済を行い、前記新たな残高を前記発券・チャージ機及び／又は前記路側アンテナに対して送信する決済手段と、前記決済手段に於ける決済につき、前記プリペイドカードの利用が為された位置データ及び利用日時とに基づいて利用履歴情報を作成し、前記履歴データベースに前記プリペイドカードの直近の利用履歴情報として記録すると共に、前記路側アンテナに対して前記作成した利用履歴情報を送信する履歴手段とを有する管理サーバである。
【００１２】
請求項２の発明は、
プリペイドカードが読書き可能な車載器との間で近距離無線通信によるデータの送受信を行う路側アンテナ、及び前記利用者の車載器に対して提供する情報の管理を行う情報サーバ、との間でネットワークを介してデータの送受信が可能な管理サーバであって、前記管理サーバは、前記プリペイドカードの残高を含む利用履歴情報を記録している履歴データベースと、前記路側アンテナの位置データと前記路側アンテナで送受信することが出来る情報サーバの所在地とを対応づけて記録している情報サーバデータベースと、前記プリペイドカードの利用者を識別する特定識別情報と前記利用者がどの情報サーバにアクセスすることが出来るか否かを対応づけて記録している特定識別情報データベースと、前記路側アンテナから前記プリペイドカードに記録された利用履歴情報と特定識別情報と残高と前記路側アンテナの位置データとを受信し、前記履歴データベースに記録している前記プリペイドカードの直近の利用履歴情報と照合する照合手段と、前記照合手段に於ける照合の結果が一致している場合には、前記受信した路側アンテナの位置データに基づいて、前記情報サーバデータベースから前記路側アンテナが対応する情報サーバの特定を行い、前記特定した情報サーバに前記利用者がアクセス権原を有するか否かのチェックを行い、アクセス権原がある場合には前記情報サーバから管理サーバを介し又はネットワークを介し直接前記路側アンテナを経由して前記車載器との間で、情報サーバに情報の送受信を行わせる情報サーバ処理手段と、前記受信したプリペイドカードに記録された残高と前記プリペイドカード残高データベースに記録された残高とを照合し、前記情報サーバから受信した利用料金を予め定められた決済条件で決済を行い、前記新たな残高を前記発券・チャージ機及び／又は前記路側アンテナに対して送信する決済手段と、前記決済手段に於ける決済につき、前記プリペイドカードの利用が為された位置データ及び利用日時と残高に基づいて利用履歴情報を作成し、前記履歴データベースに前記プリペイドカードの直近の利用履歴情報として記録すると共に、前記路側アンテナに対して前記作成した利用履歴情報を送信する履歴手段とを有する管理サーバである。
【００１３】
請求項３の発明は、
前記決済手段は、前記プリペイドカード残高データベースに記録している残高と前記プリペイドカードに記録している残高とが不一致の場合には、前記プリペイド残高データベースに記録している残高から利用料金を減じて新たな残高として前記プリペイドカード残高データベースに記録することによって決済を行い、前記新たな残高を前記発券・チャージ機及び／又は前記路側アンテナに対して送信する管理サーバである。
【００１４】
請求項４の発明は、
前記照合手段は、前記利用履歴情報に加え前記プリペイドカード残高データベースに記録している残高とも照合する管理サーバである。
【００１５】
請求項５の発明は、
前記利用履歴情報は、利用箇所の緯度経度からなる位置データ及び利用日時とを含む管理サーバである。
【００１６】
請求項６の発明は、
前記利用履歴情報は、更に高度も含む管理サーバである。
【００１７】
請求項１から請求項６の発明によって、自動料金支払いシステムでプリペイドカードの残高の管理を行うシステムに、特定の利用者に対してデータの送受信を可能とする情報サーバを設け、車両から特定の路側アンテナを介して管理サーバにアクセスがあった場合には、その情報サーバへのアクセスを許可し車両に対して商品情報の閲覧を行わせ、商品の購入等を可能とする自動料金支払いシステムに於ける管理サーバが可能となる。これによって、利用者は単に決済を行うのみならず、視覚的な情報（聴覚的な情報であっても良い）を取得でき、例えばファーストフード店やガソリンスタンドでの商品選択等を行うことも出来る。又プリペイドカードによる決済とも連動しているので、従来のようにクレジットカード等を所持できない者であっても利用することが可能となる。
【００１８】
請求項７の発明は、
プリペイドカードの残高及び／又は利用履歴の管理を行う管理サーバとの間でネットワークを介してデータの送受信が可能な発券・チャージ機であって、前記発券・チャージ機は、前記管理サーバに対して発券情報を送信し、前記発券情報に基づいて作成された前記発券・チャージ機の位置データと利用日時とを含む利用履歴情報と、前記プリペイドカードの利用者を識別する特定識別情報と前記発券するプリペイドカードの残高とを前記管理サーバから受信し、前記受信した利用履歴情報と前記特定識別情報と前記残高とを前記プリペイドカードに記録して発券を行う発券・チャージ機である。
【００１９】
請求項８の発明は、
前記発券・チャージ機は、前記プリペイドカードのチャージの際に、前記プリペイドカードに記録された利用履歴情報と特定識別情報と残高とを抽出し、前記利用履歴情報と特定識別情報と残高と前記発券・チャージ機の位置データとを前記管理サーバに送信し、前記利用者から受領したチャージ金額を前記管理サーバに送信し、前記送信したプリペイドカードに記録した残高と前記プリペイドカード残高データベースに記録した残高とを照合させ、プリペイドカードの残高を記録している前記管理サーバのプリペイドカード残高データベースの残高に前記チャージ金額を加算し新たな残高として更新せしめ、残高の更新後に前記管理サーバが新たに作成した利用履歴情報と新たな残高とを前記管理サーバから受信し、前記受信した利用履歴情報と前記受信した残高とを前記プリペイドカードに記録する発券・チャージ機である。
【００２０】
請求項９の発明は、
前記発券・チャージ機は、前記チャージの際に前記管理サーバに送信したプリペイドカードに記録されている残高と前記プリペイドカード残高データベースに記録されている残高とが不一致の場合には前記プリペイドカード残高データベースに記録している残高に前記チャージ金額を加算し新たな残高として更新せしめる発券・チャージ機である。
【００２１】
請求項１０の発明は、
前記発券・チャージ機は、車載器又は提供する情報の管理を行う情報サーバとデータの送受信が可能であり、前記管理サーバを介して前記情報サーバにアクセスを行い、チャージする金額を前記情報サーバに対して送信し、前記情報サーバから前記管理サーバに対してチャージする金額を送信させることで、前記プリペイドカードの残高を記録している前記管理サーバのプリペイドカード残高データベースの残高に前記チャージ金額を加算し新たな残高として更新せしめる発券・チャージ機である。
【００２２】
請求項７から請求項１０の発明によって、プリペイドカードに利用履歴情報と特定識別情報と残高とを記録して発券が可能となる。又チャージの際には、特定識別情報で利用者に情報サーバにアクセスを行わせ、情報サーバから管理サーバに対してチャージを行わせることで、利用者によるチャージ金額の投入も不要となる。
【００２３】
請求項１１の発明は、
プリペイドカードの残高及び／又は利用履歴の管理を行う管理サーバとの間でネットワークを介してデータの送受信を行い、前記プリペイドカードが読書き可能な車載器との間で近距離無線通信によるデータの送受信を行い、前記利用者の車載器に対して提供する情報の管理を行う情報サーバとの間でネットワークを介してデータの送受信が可能な路側アンテナであって、前記路側アンテナは、前記車載器が前記プリペイドカードから読み取った利用履歴情報と特定識別情報と残高とを受信し、前記車載器から受信した利用履歴情報と特定識別情報と残高と前記路側アンテナの位置データとを前記管理サーバに送信し、前記情報サーバから送信された情報を前記車載器に対して送信し、前記情報サーバに於ける利用料金を、前記情報サーバから前記管理サーバに利用料金を送信させることによって利用料金の決済を行わせ前記プリペイドカードの残高を更新せしめ、前記残高の更新後に前記管理サーバが新たに作成した利用履歴情報と新たな残高とを前記管理サーバから受信し、前記受信した利用履歴情報と前記受信した残高とを前記車載器に対して送信する路側アンテナである。
【００２４】
請求項１１の発明によって、利用履歴情報と特定識別情報と残高とを記録したプリペイドカードを用いた、店舗等での決済を行わせる路側アンテナが可能となる。又単に決済を行わせるのではなく、情報サーバと車載器との間で情報の送受信も行わせることによって、視覚的（聴覚的）な情報を車載器で表現させることが可能となる。
【００２５】
請求項１２の発明は、
路側アンテナとの間で近距離無線通信によるデータの送受信が可能であり、前記路側アンテナを介して前記プリペイドカードの残高及び／又は利用履歴の管理を行う管理サーバとの間でデータの送受信が可能であり、提供する情報の管理を行う情報サーバとの間でデータの送受信が可能な車載器であって、前記車載器は、前記プリペイドカードから利用履歴情報と特定識別情報と残高とを読取り、前記読み取った利用履歴情報と特定識別情報と残高とを前記路側アンテナを介して前記管理サーバに送信し、前記管理サーバで前記路側アンテナの位置データによって特定された情報サーバから情報を受信し表示を行い、前記管理サーバに於いて決済を行わせることにより、前記プリペイドカードの残高を更新せしめ、前記残高の更新後に前記管理サーバが新たに作成した利用履歴情報と新たな残高とを前記管理サーバから前記路側アンテナを介して受信し、前記受信した利用履歴情報と前記受信した残高とを前記プリペイドカードに記録する車載器である。
【００２６】
請求項１２の発明によって、利用履歴情報と特定識別情報と残高とを記録したプリペイドカードを用いた、路側アンテナを介した決済を行う車載器が可能となる。又単に決済を行わせるのではなく、情報サーバと車載器との間で情報の送受信も行わせることによって、視覚的（聴覚的）な情報を車載器で表現させることが可能となる。
【００２７】
請求項１３の発明は、
利用箇所の緯度経度からなる位置データ及び利用日時とを含む利用履歴情報と、利用者を識別する特定識別情報と、残高とを記録しているプリペイドカードである。
【００２８】
請求項１４の発明は、
前記利用履歴情報は、更に高度も含むプリペイドカードである。
【００２９】
請求項１３及び請求項１４の発明によって、位置データと利用日時とからなる利用履歴情報と特定識別情報と残高とを記録したプリペイドカードが可能となる。又単に決済を行わせるのではなく、特定識別情報を用いて情報サーバを特定することによって、車載器との間で情報の送受信も行わせることで、視覚的（聴覚的）な情報を車載器で表現させることが可能となる。
【００３０】
【発明の実施の形態】
本発明のシステム構成の一例を図１のシステム構成図を用いて詳細に説明する。自動料金支払いシステム１は、ネットワーク６を介して発券・チャージ機１６、路側アンテナ３との間でデータの送受信が可能な管理サーバ２を有しており、管理サーバ２は、利用者の有する車載器４に対して何らかの情報を送受信する情報サーバ１５とデータの送受信が可能である。尚、本実施例に於いては、近距離無線通信の例としてＤＳＲＣの場合を説明するが、それ以外にも無線ＬＡＮや赤外線通信、ブルートゥース等であっても同様に実現可能である。又ＤＳＲＣを用いた場合には、路側アンテナ３と車載器４との間で自動的にデータの送受信を行うので、利用者の手を煩わすことなく、特に運転の妨げとなることなく、データの送受信が可能となる。
【００３１】
プリペイドカード５は、プリペイドカード５を一意に識別する利用履歴情報とプリペイドカード５の利用者を識別する特定識別情報と残高とを記録しているカードである。利用履歴情報は、利用日時（本明細書に於いて利用日時には、年、月、日付、時刻が含まれるものとする）、利用した場所の位置データを含む一意の情報である。特に位置データとして、緯度及び経度とし利用日時と組み合わせることによって３変数からなる履歴情報となり、同一場所で同一日時に利用可能なプリペイドカード５は唯一であるので一意の情報が作成でき、これを用いることが好適であるが、それ以外の位置データを利用しても良い。又位置データとして緯度及び経度の他にも高度を付加しても良い。たとえば、使用場所ごとに識別子を設定し、これを位置データとしてもよい。又特定識別情報は、プリペイドカード５を利用する利用者がどの利用者であるかを一意に識別することが出来る情報である。プリペイドカード５利用者に関する情報は、管理サーバ２の特定識別情報データベース１４（後述）に予め記録されていることが好適である。ここでプリペイドカード５利用者に関する情報としては、氏名等の属性情報の他、どの情報サーバ１５にアクセスすることが出来るかを記録している。接触式のプリペイドカード５のハードウェア構成図を図１１に示す。
【００３２】
プリペイドカード５は、ＩＣカード基盤を有しており、更にＩＣカード基盤にはメモリとＣＰＵと端子及び／又はアンテナ（プリペイドカード５を接触式で読み取る場合には端子を用い、非接触式の場合にはアンテナとなる）とからなるＩＣモジュールが組み込まれている。ＩＣモジュールの中のメモリ領域は、ＲＡＭ、ＲＯＭ、ＥＥＰＲＯＭの３つのメモリ特性に区分されており、ＲＯＭ領域にはＩＣカード固有のプログラム、ＩＤコード等が書き込まれている。ＲＡＭ領域には利用履歴情報と残高とを少なくとも記録することが出来、これらを上書きするアプリケーションに対応することとなる。ＥＥＰＲＯＭは、ＩＣカードのアプリケーション処理でのキャッシュメモリとして機能する。プリペイドカード５発券時の発券・チャージ機１６での位置と日時とからなる利用履歴情報と残高は、ＲＡＭ領域に格納されている。又車載器４、発券・チャージ機１６とのデータの送受信の際には、各々暗号化処理／復号化処理されて管理サーバ２との間での処理が為されることとなる。このようなハードウェアの処理は、毎回記載しなくても同様な処理が各々の場合に実行されている。
【００３３】
発券・チャージ機１６は、利用者のプリペイドカード５を発券、又は前記プリペイドカード５に残高を補充させる為の装置である。この装置は、発券の際には利用者から金額を受領後、ネットワーク６を介して管理サーバ２に対して発券情報を送信し、管理サーバ２に発券があったことを通知する。この通知に対して管理サーバ２から少なくとも発券位置データを含む利用履歴情報と特定識別情報とを受信し、それをプリペイドカード５に記録して発券を行う装置である。この際に、プリペイドカード５を一意に識別するＩＰｖ６アドレス又は１２８ビットＩＤアドレス（１２８ビットで示されるアドレスを識別情報として用いるものを１２８ビットＩＤアドレスとする）、発券機管理番号、管理サーバ２のアドレスも記録させることが好適である。又、ＩＰｖ６アドレス、発券機管理番号、管理サーバ２のアドレス等も発券履歴情報に含めても良いことは言うまでもない。この発券履歴情報は、プリペイドカード５を一意に識別できる情報である。
【００３４】
チャージの際には、利用者がプリペイドカード５に挿入したプリペイドカード５から利用履歴情報と特定識別情報を抽出し、利用履歴情報と特定識別情報と発券・チャージ機１６の位置データとをネットワーク６を介して管理サーバ２に送信し、正常なプリペイドカード５と判断されれば発券・チャージ機１６でチャージ金額を受領し、プリペイドカード５のチャージ金額とをネットワーク６を介して管理サーバ２に送信し、残高を更新させる。又発券・チャージ機１６は、管理サーバ２が新たに作成した利用履歴情報をネットワーク６を介して受信し、プリペイドカード５に利用履歴情報を記録させる。
【００３５】
又発券・チャージ機１６から情報サーバ１５へのアクセスを行わせることでチャージを行っても良い。この場合には、発券・チャージ機１６が抽出した特定識別情報に基づいて管理サーバ２から情報サーバ１５にアクセスを行わせ、チャージする金額を情報サーバ１５から管理サーバ２に対して送信し、プリペイドカード５の残高をチャージする。そして管理サーバ２から情報サーバ１５に対して別途チャージした金額の請求を行うことによって、利用者はチャージする金額をその場で自らが負担する必要がなくなる。従って、例えば利用者が運送会社の運転手である場合に、これを用いてチャージすることで利用者自らがチャージし、後にチャージした金額の請求を運送会社に行わなくても、運送会社の情報サーバ１５から管理サーバ２に対してチャージの指示を送信し、別途管理サーバ２から運送会社に対してチャージした金額の請求を行うことが可能となる。これにより、利用者と運送会社との間の領収書のやりとり等を行わずにすむこととなる。
【００３６】
発券・チャージ機１６は、利用者に対してプリペイドカード５を発券の際に、管理サーバ２から受信した利用履歴と特定識別情報と共にその残高をプリペイドカード５に記録する。チャージの際には、利用履歴情報と特定識別情報とを管理サーバ２に送信する際に、プリペイドカード５から残高を読取り、送信する。又チャージ後の新たな利用履歴情報と残高とを管理サーバ２から受信し、利用履歴情報と残高とをプリペイドカード５に記録する。
【００３７】
路側アンテナ３は、車両に設置された車載器４との間でＤＳＲＣによりデータの送受信を行い、更に管理サーバ２との間をネットワーク６を介して車載器４との間で送受信する／送受信した情報を、送受信するアンテナである。路側アンテナ３は、道路上、道路沿い、その他車両の進入可能な場所、又はその近傍に設置されることが好適であり、図８にその一例を示す。尚、本明細書ではファーストフード店の道路沿いに路側アンテナ３が設けられており、その利用料金の決済を行う場合を説明するが、ファーストフード店の決済のみならず、ガソリンスタンド等であっても同様に可能である。ガソリンスタンドに路側アンテナ３が設けられた場合の図を図７に示す。
【００３８】
路側アンテナ３は、車載器４がプリペイドカード５から読み取った利用履歴情報と特定識別情報と残高とを受信しネットワーク６を介して、利用履歴情報と特定識別情報と残高と路側アンテナ３の位置データとを管理サーバ２に送信し、その利用者が情報サーバ１５にアクセスできる場合には情報サーバ１５からの情報を管理サーバ２又は直接情報サーバ１５からネットワーク６を介して受信し車載器４に送信する。又車載器４で選択した情報を受信して、管理サーバ２を介して又は直接情報サーバ１５にネットワーク６を介して送信し、例えば商品購入の希望等を送信し、管理サーバ２に於いて決済を行わせる。更に決済を行った場合には、管理サーバ２で新たに作成した利用履歴情報と残高とをネットワーク６を介して管理サーバ２から受信し、それを車載器４に対して送信する装置でもある。
【００３９】
車載器４は、プリペイドカード５から利用履歴情報と特定識別情報と残高とを読取り、それらを路側アンテナ３に対してＤＳＲＣにより送信する装置である。又路側アンテナ３からＤＳＲＣにより管理サーバ２が新たに作成した利用履歴情報と残高とを受信し、それをプリペイドカード５に記録する装置である。更に利用者が情報サーバ１５にアクセスできる場合には情報サーバ１５からの情報を路側アンテナ３又は情報サーバ１５からネットワーク６を介して直接から受信し表示を行い、又車載器４で利用者が選択した情報を路側アンテナ３を介して、管理サーバ２経由で又は直接情報サーバ１５にネットワーク６を介して送信し、例えば商品購入の希望等を送信し、管理サーバ２に於いて決済を行わせる装置でもある。又車載器４には、情報サーバ１５から送信された情報を表示する為のディスプレイ画面が具備されていることが好適である。車載器４のハードウェア構成図を図１２に示す。
【００４０】
車載器４は、プリペイドカード５を挿入されると、車載器４のＩＣカードインターフェイス部を介してプリペイドカード５内の利用履歴情報と残高とを呼び出し、セキュリティモジュール部にて暗号化処理をおこなう。その後ＥＴＣ処理部、制御処理部にて交信制御を行い、変復調部、送受信部、空中線部から路側アンテナ３に暗号化処理をおこなった利用履歴情報と残高とを送信する。路側アンテナ３は、管理サーバ２と交信して、認証決済を行うこととなる。決済後の新たな利用履歴情報と残高とを車載器４からプリペイドカード５に書き込む場合は逆を行う。つまり、ＥＴＣ処理部、制御処理部にて交信制御を行い、変復調部、送受信部、空中線部で管理サーバ２から路側アンテナ３を介して暗号化処理された新たな利用履歴情報と残高とを受信する。その後、セキュリティモジュール部にて復号化処理をおこない、ＩＣカードインターフェイス部を介して、プリペイドカード５に新たな利用履歴情報と残高とを記録する。又車載器４のヒューマンマシンインターフェイス部は、利用者に対して視覚的、聴覚的なメッセージを行う。つまり何らかの文字や画像、音声を表示、発生することによって利用者に対してメッセージを行う。本明細書ではヒューマンマシンインターフェイス部がディスプレイ画面である場合を説明するが、車載器４のヒューマンマシンインターフェイス部は、車載器４に自ら備えられていなくても、車両に設置されているカーナビゲーションシステムの画面を利用して文字や画像、音声の表示、発生を行わせても良い。この場合にはヒューマンマシンインターフェイス部から文字や画像、音声データがカーナビゲーションシステムに対して送信され表示が行われる。更に利用者がカーナビゲーションシステムで選択した情報は、ヒューマンマシンインターフェイス部によって受信され、それが路側アンテナ３を介して管理サーバ２等に送信されることとなる。
【００４１】
情報サーバ１５は、利用者に対して管理サーバ２を介し又は直接ネットワーク６を介し、路側アンテナ３から車載器４に対して利用者に提供する情報の送受信を行うサーバである。例えばファーストフード店の情報サーバ１５は、利用者の車載器４に対してメニューを閲覧させることによってその注文を受けることが出来たり、ガソリンスタンドの情報サーバ１５は、利用者の車載器４に対してガソリン価格や種類、洗車等のサービスの一覧を閲覧させることによってその注文を受けることが出来る。
【００４２】
管理サーバ２は、履歴手段７と照合手段８と決済手段９と情報サーバ処理手段１０と履歴データベース１１とプリペイドカード残高データベース１２と情報サーバデータベース１３と特定識別情報データベース１４とを有している。
【００４３】
履歴手段７は、プリペイドカード５の利用が為された位置データ及び利用日時に基づいて、利用履歴情報を作成し、それを利用履歴として履歴データベース１１に記録すると共に、発券・チャージ機１６、路側アンテナ３にネットワーク６を介して送信する手段である。
【００４４】
照合手段８は、発券・チャージ機１６、路側アンテナ３からネットワーク６を介して受信したプリペイドカード５に記録されている利用履歴情報と、履歴データベース１１に格納している利用履歴情報とを照合し、一致していれば決済手段９に於いて決済を行わせ、一致していない場合には前記利用履歴情報を受信した発券・チャージ機１６、路側アンテナ３に対して不一致通知を送信し、当該プリペイドカード５の利用を停止等させる手段である。ここで利用履歴情報の照合は、直近の一つの利用履歴の照合であっても良いし、複数の利用履歴を照合しても良い。又利用履歴の照合のみならず、利用履歴と残高との組合せで照合を行っても良い。
【００４５】
情報サーバ処理手段１０は、路側アンテナ３からネットワーク６を介して受信した路側アンテナ３の位置データに基づいて、路側アンテナ３と情報サーバ１５との対応を情報サーバデータベース１３から抽出し、利用者に対して送信する情報サーバ１５の特定を行う。即ち例えば図８に示したように、路側アンテナ３がファーストフード店に設置されている場合には、路側アンテナ３の位置データを特定することによってその路側アンテナ３が送受信を行うファーストフード店の情報サーバ１５の特定を行う。又情報サーバ１５の特定後、プリペイドカード５に記録されている特定識別情報を、特定識別情報データベース１４に格納している特定識別情報と照合し、その利用者が当該特定した情報サーバ１５にアクセスすることが許可されているか否かを照合し、許可されていれば車載器４から情報サーバ１５へのアクセスを許可し、接続させる。許可されていない場合にはアクセス不可通知を車載器４に送信する。又情報サーバ１５と管理サーバ２との間のデータの送受信を行い、特に情報サーバ１５から決済の依頼を受信した場合にそれを決済手段９に送信する。
【００４６】
決済手段９は、発券・チャージ機１６、路側アンテナ３、情報サーバ１５からネットワーク６を介して受信した利用料金に基づいて、決済を行わせる手段である。又路側アンテナ３によるファーストフード店の料金の決済を行う場合には、利用者が商品の購入を選択した情報が車載器４から路側アンテナ３を介して、管理サーバ２を経由して又は直接情報サーバ１５にネットワーク６を介して送信され、情報サーバ１５に於いてその購入を許可する場合にはその決済の依頼が情報サーバ１５から管理サーバ２の情報サーバ処理手段１０を介して受信する。決済手段９は、更にプリペイドカード５に記録された残高を、発券・チャージ機１６又は路側アンテナ３から受信し、プリペイドカード残高データベース１２に記録されている当該プリペイドカード５の残高と照合し、プリペイドカード残高データベース１２の記録を優先的に取扱い、決済を行う。ここで優先的に取り扱うとは、仮にプリペイドカード５の残高とプリペイドカード残高データベース１２の残高とが不一致であった場合、プリペイドカード残高データベース１２の残高に基づいて決済を行うことを意味している。決済手段９は、決済の際に当該利用者のプリペイドカード５の残高を確認し、残高がある場合にはその決済を行い情報サーバ処理手段１０を介して情報サーバ１５に対して通知する。又残高不足である場合には情報サーバ１５に対して決済不可通知を送信する。決済後、決済手段９はその新たな残高を発券・チャージ機１６、路側アンテナ３、カードリーダに対して送信し、プリペイドカード５の残高を更新させる。
【００４７】
決済手段９は、プリペイドカード残高データベース１２の記録を優先的に取り扱うことが好適であるが、管理サーバ２の管理者の意向によっては、プリペイドカード５の残高を優先的に取り扱っても良いし、不正可能性のあるカードであるとして、プリペイドカード５の利用停止を行っても良い。
【００４８】
履歴データベース１１は、プリペイドカード５の発券履歴情報と利用履歴情報とを記録しているデータベースである。例えば縦軸にプリペイドカード５を一意に識別する発券履歴情報、横軸にそのプリペイドカード５の利用履歴を識別する利用履歴情報を格納することによって、プリペイドカード５毎の利用履歴を効率的に記録することが出来る。
【００４９】
プリペイドカード残高データベース１２は、プリペイドカード５毎に、その残高を記録しているデータベースである。例えば縦軸にプリペイドカード５を一意に識別する発券履歴情報、横軸にそのプリペイドカード５の残高を格納することによって、プリペイドカード５毎の残高を効率的に記録することが出来る。
【００５０】
情報サーバデータベース１３は、路側アンテナ３の位置データとその路側アンテナ３で送受信することが出来る情報サーバ１５の所在地（アドレス）とを対応づけて記録しているデータベースである。例えば位置データが北緯３４度２４分１５秒、東経１３４度４５分３４秒である路側アンテナ３は、あるファーストフード店の情報サーバ１５Ａの所在地（アドレス）に対応づけられている。従って情報サーバ処理手段１０は、管理サーバ２から情報サーバ１５にアクセスすることが可能となる。
【００５１】
特定識別情報データベース１４は、プリペイドカード５に記録されている利用者の特定識別情報と、その利用者の氏名等の属性情報の他、その利用者がどの情報サーバ１５にアクセスすることが出来るか否かを対応づけて格納しているデータベースである。
【００５２】
次に本発明のプロセスの流れの一例を図２から図４のフローチャート図及び図１のシステム構成図とを用いて詳細に説明する。まず、プリペイドカード５の発券のプロセスを図２のフローチャート図を用いて詳細に説明する。
【００５３】
自動料金支払いシステム１のプリペイドカード５の発券を希望する利用者は、発券・チャージ機１６で発券を希望する金額のプリペイドカード５を選択し、料金を投入する。料金投入後、発券・チャージ機１６は、ネットワーク６を介して管理サーバ２に対して発券情報を送信し、利用者が選択した金額のプリペイドカード５の発券があったことを通知する（Ｓ１００）。この際に発券・チャージ機１６は、管理サーバ２に対して自らの位置データを併せて送信する。
【００５４】
発券・チャージ機１６から発券情報を受信した管理サーバ２の履歴手段７は、発券・チャージ機１６から受信した位置データとその利用日時に基づいて、発券履歴情報を作成する（Ｓ１１０）。例えば位置データが緯度と経度からなる場合であって、発券機の位置データが北緯３４度１５分１２秒２９１、東経１３９度０８分３４秒６６４、利用日時が２００２年９月１５日１３時３４分３５秒８２であった場合（緯度及び経度に高度も加えた場合には、更に高度（例えば海抜１０メートル５０センチならばその情報）も）、発券履歴情報として「３４１５１２２９１１３９０８３４６６４２００２０９１５１３３４３５８２」を作成する（高度を加えた場合には、「３４１５１２２９１１３９０８３４６６４１０５０２００２０９１５１３３４３５８２」）。緯度経度利用日時の順番で数字のみで発券履歴情報とした場合の例であるが、これ以外にも発券履歴情報を作成することは可能である。情報作成に際して、データを加工してもよい。なお、記録する情報の単位は、詳細であるほど識別能力が高まる。つまり、従来はカードを識別する情報に乱数を組み込むことによって、その識別情報自体のセキュリティ性を向上させている（特開２００２−１８３７０６号公報参照）。利用履歴に基づいてそのカードが不正にコピーされた可能性があるか否かを判断する場合には、一意な利用履歴でなくてはならないが、車両のように日本中に極めて数が多く、又その利用回数も非常に多い場合、上述のように開示されている乱数を用いたとしても、一意な乱数を作成することは困難であり、又その乱数が以前使用されているか否かのチェックも行わなければならない。これはその処理に時間がかかり、特に車両のように高速で移動している場合には、その処理終了前に通過してしまい、処理が行えない可能性もある。しかし、本発明のように、位置データと日時によって識別情報を作成することで、完全に一意の識別情報が瞬時に完成し又従来使用されているか否かの照合も不要となる。また、情報自体に意味があるため、使用に際し、事故ないし問題が起こった場合の調査・検証において有利である。
【００５５】
発券の際に、履歴手段７は、利用者を一意に識別する特定識別情報を作成し、特定識別情報とその利用者の氏名等の属性及びその利用者がどの情報サーバ１５にアクセスを希望するか等の情報を発券・チャージ機１６から受信し、特定識別情報データベース１４に記録する。
【００５６】
Ｓ４１０で管理サーバ２の履歴手段７で作成した発券履歴情報を、履歴データベース１１にプリペイドカード５の発券履歴情報及び最初の利用履歴情報として記録をする（Ｓ１２０）。又履歴手段７は、当該発券履歴情報を有するプリペイドカード５の残高として、例えば利用者が５万円のプリペイドカード５の発券を希望したとする場合には、５万円を記録する。履歴手段７は、利用履歴情報と特定識別情報と残高とをネットワーク６を介して発券・チャージ機１６に送信する（Ｓ１３０）。
【００５７】
利用履歴情報を受信した発券・チャージ機１６は、プリペイドカード５にその情報（利用履歴情報と特定識別情報と残高）を記録して（Ｓ１４０）、発券を行う（Ｓ１５０）。この５万円のプリペイドカード５を受領することによって、利用者が自動料金支払いシステム１を利用することが可能となる。
【００５８】
次にプリペイドカード５を利用して決済を行う場合のプロセスの流れの一例を図３及び図４のフローチャート図と図１のシステム構成図を用いて詳細に説明する。
【００５９】
プリペイドカード５を読み取った車載器４を設置した車両が図８に示した路側アンテナ３に接近すると、車載器４が路側アンテナ３に対して、ＤＳＲＣにより利用履歴情報と特定識別情報と残高を送信する。それを取得した路側アンテナ３はネットワーク６を介して管理サーバ２の照合手段８に、前記受信した利用履歴情報と当該路側アンテナ３の位置データを送信する。プリペイドカード５に記録された利用履歴情報を取得した照合手段８は（Ｓ２００）、直近の利用履歴情報としてその利用履歴情報が履歴データベース１１に存在するか否かの照合を行う（Ｓ２１０）。直近の利用履歴情報としてその利用履歴情報が存在しない場合には（Ｓ２２０）、そのプリペイドカード５がコピーされ第三者に利用されている可能性があるので、不一致通知を照合手段８がネットワーク６を介して路側アンテナ３に対して送信し、路側アンテナ３が不一致通知を車載器４に送信する（Ｓ２３０）。車載器４でその情報を受信すると、何らかのメッセージ（例えばこのプリペイドカード５は利用できません、等の音声メッセージや文字メッセージを行う）を車載器４が行い、利用者はそのプリペイドカード５が利用できないことを知ることが出来る。この場合にはなぜ利用できないのかを、利用者が管理会社等に問い合わせをし、事態の把握に努めることが良い。
【００６０】
Ｓ２１０の照合の結果、直近の利用履歴情報としてその利用履歴情報が存在し一致した場合には（Ｓ２２０）、そのプリペイドカード５は正常な利用状況にあると推測される。又Ｓ２００に於いて路側アンテナ３から特定識別情報を受信している場合には（Ｓ２４０）、照合手段８が路側アンテナ３の位置データと特定識別情報を情報サーバ処理手段１０に送信し、路側アンテナ３の位置データの特定を行い（Ｓ２５０）、その路側アンテナ３に対応する情報サーバ１５の特定を行う（Ｓ２６０）。
【００６１】
即ち、例えば図８に示したように、路側アンテナ３がファーストフード店に存在している場合には、路側アンテナ３の位置データを特定することによってその路側アンテナ３が送受信を行うファーストフード店の情報サーバ１５の特定を行う。例えば位置データが北緯３４度２４分１５秒、東経１３４度４５分３４秒である路側アンテナ３は、あるファーストフード店の情報サーバ１５Ａの所在地（アドレス）を抽出することによって、情報サーバ１５の特定を行う。
【００６２】
情報サーバ１５の特定後、情報サーバ処理手段１０は、受信した利用者の特定識別情報を特定識別情報データベース１４で照合することによって、その利用者が当該特定した情報サーバ１５にアクセスすることが許可されているか否かを照合し（Ｓ２７０）、許可されていない場合にはアクセス不可通知を車載器４に送信する（Ｓ２８０）。
【００６３】
Ｓ２７０の照合の結果、利用者がその情報サーバ１５にアクセスすることが許可されている場合には、情報サーバ１５から閲覧情報を管理サーバ２の情報サーバ処理手段１０又は直接路側アンテナ３（この路側アンテナ３は、利用履歴情報を受信した路側アンテナ３と同一又は実質的に同一のアンテナである。従って、受信時の路側アンテナ３と本ステップで用いる送信時の路側アンテナ３とは物理的には別のアンテナを用いたとしても、その２つのアンテナで実質的に一つであると見なす）を介して車載器４に利用者に閲覧させる情報（閲覧情報）を送信する（Ｓ２９０）。図９に車載器４で表示される閲覧情報の一例を示す。図９は、ファーストフード店に設置された路側アンテナ３から、ファーストフード店の情報サーバ１５のメニュー情報を受信し表示した場合である。
【００６４】
車両の乗車している利用者は、受信した閲覧情報から購入する商品を選択し、その購入情報を送信する。即ち図９の「予約」ボタンを選択することとなる。この情報が車載器４から路側アンテナ３に送信され、路側アンテナ３からネットワーク６を介して管理サーバ２の情報サーバ処理手段１０を経由して又は直接情報サーバ１５に送信される。購入情報を受信した情報サーバ１５は、その利用者に対して決済を許可するか否かの判別をし（Ｓ３００）、決済をする場合にはその利用金額を情報サーバ１５から情報サーバ処理手段１０に送信する。この場合に図１０に示すように、プリペイドカード５による決済を行うかの画面を表示し、選択を行わせても良い。又利用者が商品等を受領するまでの時間、音楽やニュース等のダウンロードを車載器４に情報サーバ１５から行わせても良い。
【００６５】
情報サーバ処理手段１０で利用金額を受信すると、その情報を決済手段９に送信し、決済手段９は、当該プリペイドカード５の利用者の残高がその利用金額以上あるか否かの残高確認を行う（Ｓ３１０）。
【００６６】
Ｓ３００で情報サーバ１５が利用者の決済を許可しない場合、又はＳ３１０で利用者の利用するプリペイドカード５の残高が利用金額未満である場合には、決済手段９がネットワーク６を介して路側アンテナ３に対して、決済が行えない旨の決済不可通知を送信し、それを受信した路側アンテナ３は車載器４に対してＤＳＲＣにより決済不可通知を送信する（Ｓ３２０）。この通知を受信した車載器４は、何らかのメッセージ（例えば残高が不足しています等の音声メッセージや文字メッセージを行う）を行い、それによって利用者は残高不足であることを認識する。この際に、更に利用者が購入を希望する場合には、プリペイドカード５以外の手段、即ち現金やクレジットカードによって支払うことが出来ても良い。
【００６７】
又情報サーバ１５が利用者に対して決済を許可し、且つ利用金額以上のプリペイドカード５の残高を有する場合には、決済手段９が決済を行う（即ち残高から利用料金を減じて新たな残高としてプリペイドカード残高データベース１２に記録し）（Ｓ３３０）。この決済の際に決済手段９は、プリペイドカード５に記録された残高と、プリペイドカード残高データベース１２に記録されている当該プリペイドカード５の残高とを照合し、プリペイドカード残高データベース１２の記録を優先的に取扱い、決済を行う。
【００６８】
又、履歴手段７が新たな利用履歴情報を作成する（Ｓ３４０）。即ち路側アンテナ３の位置データと、決済を行った時刻とに基づいて履歴手段７が新たな利用履歴情報を作成し、履歴データベース１１の当該プリペイドカード５（発券履歴情報によって特定されたプリペイドカード５）の直近の利用履歴情報を更新する（Ｓ３５０）。それと併せて履歴手段７は路側アンテナ３に対してネットワーク６を介して新たな利用履歴情報を送信し、それと併せて決済手段９が路側アンテナ３に対してネットワーク６を介して決済後のプリペイドカード５の残高を送信し（Ｓ３６０）、それを受信した路側アンテナ３は車載器４に対してＤＳＲＣによって新たな利用履歴情報を送信する。
【００６９】
又Ｓ３３０に於いて決済を行った後に、決済手段９は情報サーバ処理手段１０を介して情報サーバ１５にその旨を通知する。これによって情報サーバ１５は、決済が正常に為されたことを把握することが出来る。又Ｓ３３０で決済手段９が行った決済の際には、利用者のプリペイドカード５残高から減額した利用金額を、情報サーバ１５の残高として加算することによって残高を更新しても良いし、情報サーバ１５から毎月、毎週、毎日等、その利用金額に応じた請求書を情報サーバ１５から管理サーバ２に送信することによって、請求を行っても良い。つまりファーストフード店の残高を加算することによってその売上を計上しても良いし、ファーストフード店から請求書を送り、その支払が為されることによって、ファーストフード店の売上計上が為されても良い。即ち公知の決済方法を用いれば良い。
【００７０】
路側アンテナ３から新たな利用履歴情報を受信した車載器４は、プリペイドカード５の利用履歴情報を更新し記録する（Ｓ３７０）。そして購入した商品等を利用者は受領する（Ｓ３８０）。つまり、ファーストフード店から購入した商品等を利用者は受領することとなる。
【００７１】
次回決済を行う場合も同様にＳ２００以降を繰り返して実行をすればよい。
【００７２】
次に利用者がプリペイドカード５に残高を補充（チャージ）する場合を図５及び図６のフローチャート図と図１のシステム構成図とを用いて詳細に説明する。
【００７３】
利用者は発券・チャージ機１６でそのプリペイドカード５の残高をチャージする場合には、まずプリペイドカード５を発券・チャージ機１６に挿入し、プリペイドカード５を読み取らせ、発券・チャージ機１６にプリペイドカード５の利用履歴情報と特定識別情報と残高を読み取らせる。これらを取得した発券・チャージ機１６は、利用履歴情報と特定識別情報と当該発券・チャージ機１６の位置データをネットワーク６を介して管理サーバ２に送信する。
【００７４】
プリペイドカード５に記録された利用履歴情報と特定識別情報と残高を取得した照合手段８は（Ｓ４００）、直近の利用履歴情報としてその利用履歴情報が履歴データベース１１に存在するか否かの照合を行う（Ｓ４１０）。直近の利用履歴情報としてその利用履歴情報が存在しない場合には（Ｓ４２０）、そのプリペイドカード５がコピーされ第三者に利用されている可能性があるので、不一致通知を照合手段８がネットワーク６を介して発券・チャージ機１６に対して送信し（Ｓ４３０）、発券・チャージ機１６でその情報を受信すると、何らかのメッセージ（例えばこのプリペイドカード５は利用できません、等の音声メッセージや文字メッセージを行う）を発券・チャージ機１６が行い、利用者はそのプリペイドカード５が利用できないことを知ることが出来る。
【００７５】
Ｓ４１０の照合の結果、直近の利用履歴情報としてその利用履歴情報が存在し一致した場合には（Ｓ４２０）、そのプリペイドカード５は正常な利用状況にあると推測され、又Ｓ４００に於いて発券・チャージ機１６から特定識別情報を受信している場合には（Ｓ４４０）、照合手段８が発券・チャージ機１６の位置データと特定識別情報を情報サーバ処理手段１０に送信し、発券・チャージ機１６の位置データと情報サーバデータベース１３とに基づいて、対応する情報サーバ１５の特定を行う（Ｓ４５０）。
【００７６】
情報サーバ１５の特定後、情報サーバ処理手段１０は、受信した利用者の特定識別情報を特定識別情報データベース１４で照合することによって、その利用者が当該特定した情報サーバ１５にアクセスすることが許可されているか否かを照合し（Ｓ４６０）、許可されていない場合にはアクセス不可通知を車載器４に送信する（Ｓ４７０）。
【００７７】
Ｓ４６０の照合の結果、利用者がその情報サーバ１５にアクセスすることが許可されている場合には、発券・チャージ機１６から、利用者が当該プリペイドカード５にチャージする金額を管理サーバ２を経由して情報サーバ１５が受信する。
【００７８】
受信したチャージする金額に基づいて、その利用者に対してプリペイドカード５のチャージを許可しない場合には（Ｓ４８０）、チャージ不可通知を管理サーバ２を経由して情報サーバ１５が発券・チャージ機１６に送信する（Ｓ４９０）。この場合には利用者が更にチャージを希望する場合には、現金やクレジットカード等の別の方法によってチャージを行えばよい。
【００７９】
Ｓ４８０に於いて情報サーバ１５がチャージを許可する場合には（Ｓ４８０）、情報サーバ１５から管理サーバ２の情報サーバ処理手段１０にチャージする金額の通知が為される（Ｓ５００）。この通知を受信した情報処理サーバは、その金額を決済手段９に送信する。
【００８０】
決済手段９がチャージする金額を受信後、当該プリペイドカード５の残高をチャージする（即ち残高からチャージする金額を加算して新たな残高としてプリペイドカード残高データベース１２に記録し）（Ｓ５１０）。このチャージの際に決済手段９は、プリペイドカード５に記録された残高と、プリペイドカード残高データベース１２に記録されている当該プリペイドカード５の残高とを照合し、プリペイドカード残高データベース１２の記録を優先的に取扱い、チャージを行う。
【００８１】
又、履歴手段７が新たな利用履歴情報を作成する（Ｓ５２０）。即ち発券・チャージ機１６の位置データと、チャージを行った利用日時とに基づいて履歴手段７が新たな利用履歴情報を作成し、履歴データベース１１の当該プリペイドカード５（発券履歴情報によって特定されたプリペイドカード５）の直近の利用履歴情報を更新する（Ｓ５３０）。それと併せて履歴手段７はネットワーク６を介して発券・チャージ機１６に新たな利用履歴情報と残高とを送信する（Ｓ５４０）。
【００８２】
履歴手段７から新たな利用履歴情報を受信した発券・チャージ機１６は、プリペイドカード５の利用履歴情報と残高を更新し記録する（Ｓ５５０）。
【００８３】
次回決済やチャージを行う場合も同様にＳ２００又はＳ４００以降を繰り返して実行をすればよい。
【００８４】
尚、上記実施例においては、利用履歴と残高とを別として取り扱っているが、利用履歴に残高を含めて取り扱っても良い。その場合には、プリペイドカード残高データベース１２を管理サーバ２に設けずに、残高の管理は履歴データベース１１で取り扱われることとなる。従って上述の説明に於けるプリペイドカード残高データベース１２との記述は、履歴データベース１１で残高にかかる処理を行うこととなる。
【００８５】
本発明に於ける各手段、データベースは、その機能が論理的に区別されているのみであって、物理上あるいは事実上は同一の領域を為していても良い。又データベースの代わりにデータファイルであっても良いことは言うまでもなく、データベースとの記載にはデータファイルをも含んでいる。
【００８６】
尚、本発明を実施するにあたり本実施態様の機能を実現するソフトウェアのプログラムを記録した記憶媒体をシステムに供給し、そのシステムのコンピュータが記憶媒体に格納されたプログラムを読み出し実行することによって実現されることは当然である。
【００８７】
この場合、記憶媒体から読み出されたプログラム自体が前記した実施態様の機能を実現することとなり、そのプログラムを記憶した記憶媒体は本発明を当然のことながら構成することになる。
【００８８】
プログラムを供給する為の記憶媒体としては、例えば磁気ディスク、ハードディスク、光ディスク、光磁気ディスク、磁気テープ、不揮発性のメモリカード等を使用することができる。
【００８９】
又、コンピュータが読み出したプログラムを実行することにより、上述した実施態様の機能が実現されるだけではなく、そのプログラムの指示に基づき、コンピュータ上で稼働しているオペレーティングシステムなどが実際の処理のうち少なくとも一以上を行い、その処理によって前記した実施態様の機能が実現される場合も含まれることは言うまでもない。
【００９０】
更に、記憶媒体から読み出されたプログラムが、コンピュータに挿入された機能拡張ボードやコンピュータに接続された機能拡張ユニットに備わる不揮発性あるいは揮発性の記憶手段に書き込まれた後、そのプログラムの指示に基づき、機能拡張ボードあるいは機能拡張ユニットに備わる演算処理装置などが実際の処理の一部あるいは全部を行い、その処理により前記した実施態様の機能が実現される場合も含まれることは当然である。
【００９１】
【発明の効果】
本発明によって、自動料金支払いシステムでプリペイドカードの残高の管理を行うシステムに、特定の利用者に対してデータの送受信を可能とする情報サーバを設け、車両から特定の路側アンテナを介して管理サーバにアクセスがあった場合には、その情報サーバへのアクセスを許可し車両に対して商品情報等の閲覧を行わせ、商品の購入等を可能とする自動料金支払いシステムに於ける管理サーバ、発券・チャージ機、路側アンテナ、プリペイドカード及び車載器が可能となる。
【００９２】
特に情報サーバへのアクセスには、予めプリペイドカードに利用者を一意に識別する特定識別情報を記録させ、それを管理サーバに送信することによってアクセスの有無の許可を判断する。これによってアクセス権原のない者によるアクセスを防ぐことが可能となる。
【図面の簡単な説明】
【図１】本発明のシステム構成の一例を示すシステム構成図である。
【図２】本発明のプロセスの流れの一例を示すフローチャート図である。
【図３】本発明のプロセスの流れの一例を示すフローチャート図である。
【図４】本発明のプロセスの流れの一例を示すフローチャート図である。
【図５】本発明のプロセスの流れの他の一例を示すフローチャート図である。
【図６】本発明のプロセスの流れの他の一例を示すフローチャート図である。
【図７】路側アンテナがガソリンスタンドに設置されている場合のイメージ図である。
【図８】路側アンテナがファーストフード店に設置されている場合のイメージ図である。
【図９】車載器で閲覧表示させる画面の一例である。
【図１０】車載器で閲覧表示させる画面の他の一例である。
【図１１】プリペイドカードのハードウェア構成を示す図である。
【図１２】車載器のハードウェア構成を示す図である。
【符号の説明】
１：自動料金支払いシステム
２：管理サーバ
３：路側アンテナ
４：車載器
５：プリペイドカード
６：ネットワーク
７：履歴手段
８：照合手段
９：決済手段
１０：情報サーバ処理手段
１１：履歴データベース
１２：プリペイドカード残高データベース
１３：情報サーバデータベース
１４：特定識別情報データベース
１５：情報サーバ
１６：発券・チャージ機
【図１】
2004151818.tif 000003
【図２】
2004151818.tif 000004
【図３】
2004151818.tif 000005
【図４】
2004151818.tif 000006
【図５】
2004151818.tif 000007
【図６】
2004151818.tif 000008
【図７】
2004151818.tif 000009
【図８】
2004151818.tif 000010
【図９】
2004151818.tif 000011
【図１０】
2004151818.tif 000012
【図１１】
2004151818.tif 000013
【図１２】
2004151818.tif 000014